(57)【要約】【課題】搬送ユニット本体の内部を開閉する開閉部材が開放時に誤って勢い良く閉じることを防止すること。【解決手段】搬送ユニット本体（１）内部を開放する第１の開放位置と閉塞する第１の閉塞位置との間で移動可能に支持された第１の開閉部材（２１）と、搬送ユニット本体（１）に接触して第１の開閉部材（２１）の移動を規制する第２の開放位置と第２の閉塞位置との間で移動可能に支持された第２の開閉部材（３１）と、第１の開閉部材（２１）に設けられた被係合部（２１ｄ）と、第２の開閉部材（３１）に設けられ、被係合部（２１ｄ）と係合した場合に第２の開閉部材（３１）を第２の閉塞位置に保持し且つ被係合部（２１ｄ）との係合が解除された場合に第２の開閉部材（３１）の第２の開放位置への移動を許容する係合部（３１ｅ）とを備えた搬送ユニット（Ｕ２ａ）。【選択図】図７
2012006756.tif 000002
【特許請求の範囲】
【請求項１】
媒体が搬送される搬送路が内部に設けられた搬送ユニット本体と、
前記搬送ユニット本体の内部を開放する第１の開放位置と、前記搬送ユニット本体の内部を閉塞する第１の閉塞位置と、の間で移動可能に支持された第１の開閉部材と、
前記搬送ユニット本体と前記第１の開閉部材との間に配置され且つ前記第１の開閉部材に支持された第２の開閉部材であって、前記第１の開閉部材との間を開放する第２の開放位置と、前記第１の開閉部材との間を閉塞する第２の閉塞位置と、の間で移動可能に支持された前記第２の開閉部材と、
前記第１の開閉部材に設けられた被係合部と、
前記第２の開閉部材に設けられ且つ前記被係合部に係合可能な係合部であって、前記被係合部と係合した場合に前記第２の開閉部材を前記第２の閉塞位置に保持し、且つ、前記被係合部との係合が解除された場合に前記第２の開閉部材の前記第２の開放位置への移動を許容する前記係合部と、
前記搬送ユニット本体に設けられた被接触部と、
前記第２の開閉部材に設けられた接触部であって、前記第２の開閉部材が前記第２の開放位置に移動した状態で、前記第１の開閉部材が前記第１の開放位置から前記第１の閉塞位置に移動する際に、前記第２の開閉部材が前記搬送ユニット本体に対して相対移動する場合に、前記被接触部に接触しながら相対移動する前記接触部と、
を備えたことを特徴とする搬送ユニット。
【請求項２】
凸部を有する前記接触部および前記被接触部のいずれか一方と、
前記第２の開閉部材が前記第２の開放位置から前記第２の閉塞位置に移動する途中に相対移動中の前記凸部と係合可能な凹部を有する前記接触部および前記被接触部のいずれか他方と、
を備えたことを特徴とする請求項１に記載の搬送ユニット。
【請求項３】
傾斜面を有する前記接触部および前記被接触部のいずれか一方であって、前記第２の開閉部材が前記第２の開放位置から前記第２の閉塞位置に移動する場合に、前記接触部および前記被接触部のいずれか他方が前記傾斜面に接触しながら相対移動し、且つ、前記他方が前記一方に対して相対移動する方向に進むに連れて重力方向上方に傾斜する前記傾斜面を有する前記接触部および前記被接触部のいずれか一方、
を備えたことを特徴とする請求項１または２に記載の搬送ユニット。
【請求項４】
前記第２の開放位置に移動した場合に前記第１の開閉部材の移動を規制する前記第２の開閉部材、
を備えたことを特徴とする請求項１ないし３のいずれかに記載の搬送ユニット。
【請求項５】
前記搬送ユニット本体に設けられた保持部と、
前記第２の開閉部材に設けられ、前記第１の開閉部材が前記第１の開放位置に移動し且つ前記第２の開閉部材が前記第２の開放位置に移動した場合における前記保持部の位置に対応する位置に配置されて保持される開放用の被保持部であって、前記保持部に保持された場合に、前記第２の開閉部材を前記第２の開放位置に保持する前記開放用の被保持部と、
を備えたことを特徴とする請求項４に記載の搬送ユニット。
【請求項６】
前記搬送路を搬送される媒体を案内する案内部材によって構成された前記第２の開閉部材、
を備えたことを特徴とする請求項１ないし５のいずれかに記載の搬送ユニット。
【請求項７】
前記搬送ユニット本体に回転可能に支持された第１の回転軸を中心として、前記第１の開放位置と前記第１の閉塞位置との間を移動可能な前記第１の開閉部材と、
前記第１の開閉部材本体に回転可能に支持された第２の回転軸を中心として、前記第２の開放位置と前記第２の閉塞位置との間を移動可能な前記第２の開閉部材と、
を備えたことを特徴とする請求項１ないし６のいずれかに記載の搬送ユニット。
【請求項８】
原稿が収容された原稿収容部と、前記原稿収容部から搬送された原稿が搬送される請求項１ないし７のいずれかに記載の搬送ユニットと、前記搬送ユニットを搬送される原稿の画像を読み取る画像読取部と、を有する画像読取装置と、
前記画像読取装置によって読み取られた画像を媒体に記録する画像記録装置と、
を備えたことを特徴とする画像形成装置。
【請求項９】
媒体を供給する媒体供給部と、前記媒体供給部から供給された媒体を搬送する請求項１ないし７のいずれかに記載の搬送ユニットと、を有する媒体供給装置と、
前記媒体供給装置から搬送された媒体に画像を記録する画像記録装置と、
を備えたことを特徴とする画像形成装置。
【請求項１０】
媒体に画像を記録する画像記録装置と、
前記画像記録装置によって画像が記録された媒体を搬送する請求項１ないし７のいずれかに記載の搬送ユニットと、前記搬送ユニットから搬送された媒体が排出される媒体排出部と、を有する媒体排出装置と、
を備えたことを特徴とする画像形成装置。
【発明の詳細な説明】
【技術分野】
【０００１】
本発明は、搬送ユニットおよび画像形成装置に関する。
【背景技術】
【０００２】
従来の画像形成装置において、媒体を搬送する搬送ユニットのメンテナンス時にユニット内部を開閉する技術について、例えば、下記の特許文献１〜３の技術が知られている。
【０００３】
特許文献１としての特開２００７-１６８９３０号公報には、用紙載置部（５）の上方を開閉する給紙カバー（４）を有する給紙装置（１）が記載されている。特許文献１では、給紙カバー（４）が装置本体（３）端部の回転軸（４ａ）を中心として開閉可能に支持され、給紙カバー（４）には、開閉用のレバー（１０）と、ピックアップローラ（８）を支持する支持アーム（１４）とが支持されている。そして、レバー（１０）の所定の角度まで回転させると、レバー（１０）と支持アーム（１４）との係合部（２１，１２）の係合が解除され、支持アーム（１４）が給紙カバー（４）に支持された基端部（１４ａ）を中心として下方の用紙載置部（５）側に回転する。
すなわち、特許文献１には、レバー（１０）を操作して、給紙カバー（４）が上方に開放された場合に、給紙路の紙詰まり、いわゆる、ジャムを解消する空間を確保すると共に、レバー（１０）をさらに回転させて、支持アーム（１４）が下方に開放されると、ピックアップローラ（８）が交換し易い位置まで移動する技術が記載されている。
【０００４】
特許文献２としての特開２００２-１４５４７２号公報には、搬送方向上流側に配置された搬送案内ガイド（８１）と搬送方向下流側に配置された搬送経路（８０）の下ガイド板（８４）との間に形成された凹部（８５）に、原稿シートを１枚づつ分離するための分離部材（２）が配置された自動原稿搬送装置が記載されている。
特許文献２には、搬送経路（８０）の上ガイド板（８３）を支持する外装カバー（４１）が、下端部のヒンジ（４１ａ）を中心として開閉可能に支持されており、前記外装カバー（４１）を上方に開放した場合に、分離部材（２）を交換したり、ジャムを解消したりする空間を確保する技術が記載されている。
【０００５】
特許文献３としての特開２００７-６２８７６号公報には、ＡＤＦ本体（７８）の軸受部（７７）に回転可能に支持され、搬送路（６２）を開放するＡＤＦカバー（８）を有するＡＤＦ（４）を備えた複写機（１）が記載されている。特許文献３には、ＡＤＦカバー（８）が開放された場合に、ＡＤＦ本体（７８）側に配置された搬送ローラ（６７）や、搬送ローラ（６７）から所定の間隙（Ｄ）を介して左方に配置されたガイド板（７３）等の上方が露出し、ジャムを解消したり内部機構を点検したりするメンテナンスのための空間が確保される。また、特許文献３には、ＡＤＦカバー（８）が開放された場合に、ＡＤＦカバー（８）の突起部（８９）が右方のガイド板（７３）側に回転して接触し、ガイド板（７３）を右方に押圧して前記間隙（Ｄ）を塞ぐことにより、メンテナンス中に誤って搬送ローラ（６７）が回転しても、前記間隙（Ｄ）に作業者の手や衣服等が巻き込まれるのを防止する技術が記載されている。
【先行技術文献】
【特許文献】
【０００６】
【特許文献１】特開２００７-１６８９３０号公報（要約書、「００１７」〜「００３５」、図１〜図１２）
【特許文献２】特開２００２-１４５４７２号公報（要約書、「００２６」〜「００２８」、図１〜図３、図５）
【特許文献３】特開２００７−６２８７６号公報（要約書、「００５０」〜「００６８」、図４〜図１０）
【発明の概要】
【発明が解決しようとする課題】
【０００７】
本発明は、搬送ユニット本体の内部を開閉する開閉部材が開放時に誤って勢い良く閉じることを防止することを技術的課題とする。
【課題を解決するための手段】
【０００８】
前記技術的課題を解決するために、請求項１に記載の発明の搬送ユニットは、
媒体が搬送される搬送路が内部に設けられた搬送ユニット本体と、
前記搬送ユニット本体の内部を開放する第１の開放位置と、前記搬送ユニット本体の内部を閉塞する第１の閉塞位置と、の間で移動可能に支持された第１の開閉部材と、
前記搬送ユニット本体と前記第１の開閉部材との間に配置され且つ前記第１の開閉部材に支持された第２の開閉部材であって、前記第１の開閉部材との間を開放する第２の開放位置と、前記第１の開閉部材との間を閉塞する第２の閉塞位置と、の間で移動可能に支持された前記第２の開閉部材と、
前記第１の開閉部材に設けられた被係合部と、
前記第２の開閉部材に設けられ且つ前記被係合部に係合可能な係合部であって、前記被係合部と係合した場合に前記第２の開閉部材を前記第２の閉塞位置に保持し、且つ、前記被係合部との係合が解除された場合に前記第２の開閉部材の前記第２の開放位置への移動を許容する前記係合部と、
前記搬送ユニット本体に設けられた被接触部と、
前記第２の開閉部材に設けられた接触部であって、前記第２の開閉部材が前記第２の開放位置に移動した状態で、前記第１の開閉部材が前記第１の開放位置から前記第１の閉塞位置に移動する際に、前記第２の開閉部材が前記搬送ユニット本体に対して相対移動する場合に、前記被接触部に接触しながら相対移動する前記接触部と、
を備えたことを特徴とする。
【０００９】
請求項２に記載の発明は、請求項１に記載の搬送ユニットにおいて、
凸部を有する前記接触部および前記被接触部のいずれか一方と、
前記第２の開閉部材が前記第２の開放位置から前記第２の閉塞位置に移動する途中に相対移動中の前記凸部と係合可能な凹部を有する前記接触部および前記被接触部のいずれか他方と、
を備えたことを特徴とする。
【００１０】
請求項３に記載の発明は、請求項１または２に記載の搬送ユニットにおいて、
傾斜面を有する前記接触部および前記被接触部のいずれか一方であって、前記第２の開閉部材が前記第２の開放位置から前記第２の閉塞位置に移動する場合に、前記接触部および前記被接触部のいずれか他方が前記傾斜面に接触しながら相対移動し、且つ、前記他方が前記一方に対して相対移動する方向に進むに連れて重力方向上方に傾斜する前記傾斜面を有する前記接触部および前記被接触部のいずれか一方、
を備えたことを特徴とする。
【００１１】
請求項４に記載の発明は、請求項１ないし３のいずれかに記載の搬送ユニットにおいて、
前記第２の開放位置に移動した場合に前記第１の開閉部材の移動を規制する前記第２の開閉部材、
を備えたことを特徴とする。
【００１２】
請求項５に記載の発明は、請求項４に記載の搬送ユニットにおいて、
前記搬送ユニット本体に設けられた保持部と、
前記第２の開閉部材に設けられ、前記第１の開閉部材が前記第１の開放位置に移動し且つ前記第２の開閉部材が前記第２の開放位置に移動した場合における前記保持部の位置に対応する位置に配置されて保持される開放用の被保持部であって、前記保持部に保持された場合に、前記第２の開閉部材を前記第２の開放位置に保持する前記開放用の被保持部と、
を備えたことを特徴とする。
【００１３】
請求項６に記載の発明は、請求項１ないし５のいずれかに記載の搬送ユニットにおいて、
前記搬送路を搬送される媒体を案内する案内部材によって構成された前記第２の開閉部材、
を備えたことを特徴とする。
【００１４】
請求項７に記載の発明は、請求項１ないし６のいずれかに記載の搬送ユニットにおいて、
前記搬送ユニット本体に回転可能に支持された第１の回転軸を中心として、前記第１の開放位置と前記第１の閉塞位置との間を移動可能な前記第１の開閉部材と、
前記第１の開閉部材本体に回転可能に支持された第２の回転軸を中心として、前記第２の開放位置と前記第２の閉塞位置との間を移動可能な前記第２の開閉部材と、
を備えたことを特徴とする。
【００１５】
前記技術的課題を解決するために、請求項８に記載の発明の画像形成装置は、
原稿が収容された原稿収容部と、前記原稿収容部から搬送された原稿が搬送される請求項１ないし７のいずれかに記載の搬送ユニットと、前記搬送ユニットを搬送される原稿の画像を読み取る画像読取部と、を有する画像読取装置と、
前記画像読取装置によって読み取られた画像を媒体に記録する画像記録装置と、
を備えたことを特徴とする。
【００１６】
前記技術的課題を解決するために、請求項９に記載の発明の画像形成装置は、
媒体を供給する媒体供給部と、前記媒体供給部から供給された媒体を搬送する請求項１ないし７のいずれかに記載の搬送ユニットと、を有する媒体供給装置と、
前記媒体供給装置から搬送された媒体に画像を記録する画像記録装置と、
を備えたことを特徴とする。
【００１７】
前記技術的課題を解決するために、請求項１０に記載の発明の画像形成装置は、
媒体に画像を記録する画像記録装置と、
前記画像記録装置によって画像が記録された媒体を搬送する請求項１ないし７のいずれかに記載の搬送ユニットと、前記搬送ユニットから搬送された媒体が排出される媒体排出部と、を有する媒体排出装置と、
を備えたことを特徴とする。
【発明の効果】
【００１８】
請求項１、８〜１０に記載の発明によれば、第２の開閉部材が第２の開放位置に移動した状態で、第１の開閉部材が第１の開放位置から第１の閉塞位置に移動する際に、第２の開閉部材の接触部が搬送ユニット本体の被接触部に接触しながら相対移動する構成を有しない場合に比べ、搬送ユニット本体の内部を開閉する開閉部材が開放時に誤って勢い良く閉じることを防止できる。
請求項２に記載の発明によれば、第２の開閉部材が第２の開放位置から第２の閉塞位置に移動する途中に相対移動中の凸部が凹部に係合しない構成に比べ、第２の開閉部材および第１の開閉部材の移動速度を低減できる。
請求項３に記載の発明によれば、接触部および被接触部のいずれか一方の傾斜面に他方が接触しながら相対移動しない構成に比べ、第２の開閉部材および第１の開閉部材の移動速度を低減できる。
【００１９】
請求項４に記載の発明によれば、第１の開放位置において第１の開閉部材の移動を規制でき、本発明の構成を有しない場合に比べ、誤って第１の開閉部材が閉じることを低減できる。
請求項５に記載の発明によれば、搬送ユニット本体の保持部が第２の開閉部材の開放用の被保持部を保持して、搬送ユニット本体が第２の開閉部材を第２の開放位置に保持でき、本発明の構成を有しない場合に比べ、第１の開閉部材の移動を低減できる。
請求項６に記載の発明によれば、第２の開閉部材により構成された案内部材が搬送路を搬送される媒体を案内できると共に、第２の開閉部材を開閉させて搬送路を開閉でき、媒体の詰まりを解消することができる。
請求項７に記載の発明によれば、各回転軸を中心として各開放位置と各閉塞位置との間で各開閉部材を回転移動させることができる。
【図面の簡単な説明】
【００２０】
【図１】図１は実施例１の画像形成装置の全体説明図である。
【図２】図２は実施例１の自動原稿搬送装置の要部拡大説明図である。
【図３】図３は実施例１の搬送ユニットの拡大斜視説明図であり、図３Ａはカバーユニットがカバー閉塞位置に移動した状態の説明図、図３Ｂは図３Ａの状態からカバーユニットがカバー開放位置に移動した状態の説明図、図３Ｃは図３Ｂの状態からガイド板がガイド開放位置に移動した状態の説明図である。
【図４】図４は図３Ｃの状態の搬送ユニットの説明図であり、図４Ａは図３Ｃの矢印ＩＶＡ方向から見た搬送ユニットの要部断面説明図であり、図４Ｂは図３Ｃの矢印ＩＶＢ方向から見た搬送ユニットの要部断面説明図である。
【図５】図５は実施例１の搬送ユニット本体の各スタッドとガイド板の各溝部との要部拡大説明図である。
【図６】図６は図３に対応する搬送ユニット本体のスタッドとガイド板の溝部との状態説明図であり、図６Ａは図３Ａの状態におけるスタッドと溝部との状態説明図、図６Ｂは図３Ｂの状態におけるスタッドと溝部との状態説明図、図６Ｃは図３Ｃの状態におけるスタッドと溝部との状態説明図である。
【図７】図７はカバーユニットがカバー開放位置からカバー閉塞位置に移動し且つガイド板がガイド開放位置からカバー閉塞位置に移動する場合の搬送ユニット本体のスタッドとガイド板との状態説明図であり、図７Ａは図３Ｃおよび図６Ｃの状態からスタッドを右側溝部から離間させて第１接触部に接触させた状態の説明図、図７Ｂは図７Ａの状態からカバーユニットを閉じてスタッドを第２接触部に接触させた状態の説明図、図７Ｃは図７Ｂの状態からカバーユニットを閉じてスタッドを第３接触部に接触させた状態の説明図、図７Ｄは図７Ｃの状態からカバーユニットをカバー閉塞位置に移動させてスタッドが左側溝部に嵌った状態の説明図である。
【図８】図８は実施例１の作用説明図であり、図６Ｃの状態でカバーユニットを閉じようする力が発生した際の搬送ユニット内の力関係を示す説明図である。
【図９】図９は実施例１の作用説明図であり、ガイド板が搬送ユニット本体と接触せずにガイド開放位置に移動する従来の構成の説明図であり、図９Ａはカバーユニットをカバー開放位置に移動させた状態の説明図、図９Ｂは図９Ａの状態からガイド板をガイド開放位置に移動させた状態の説明図、図９Ｃは図９Ｂの状態からカバーユニットをカバー閉塞位置に移動させるために右方に傾斜させた状態の説明図である。
【図１０】図１０は実施例１の図７に対応する説明図であり、カバーユニットがカバー開放位置からカバー閉塞位置に移動し且つガイド板がガイド開放位置からカバー閉塞位置に移動する場合の搬送ユニット本体とガイド板との状態説明図であり、図１０Ａは接触部が第１被接触部に接触した状態の説明図、図１０Ｂは図１０Ａの状態からカバーユニットを閉じて接触部が第２被接触部に接触した状態の説明図、図１０Ｃは図１０Ｂの状態からカバーユニットを閉じて接触部が第３被接触部に接触した状態の説明図、図１０Ｄは図１０Ｃの状態からカバーユニットをカバー閉塞位置に移動させて爪部が爪受け部と係合した状態の説明図である。
【図１１】図１１は実施例１の変更例の説明図であり、ガイド板がガイド開放位置からカバー閉塞位置に移動する場合の搬送ユニット本体のスタッドとガイド板との状態説明図である。
【発明を実施するための形態】
【００２１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２２】
図１は実施例１の画像形成装置の全体説明図である。
図１において、画像形成装置の一例としての複写機Ｕは、上面に透明な原稿台の一例としてのプラテンガラスＰＧを有する複写機本体Ｕ１と、前記プラテンガラスＰＧ上に着脱自在に装着される自動原稿搬送装置Ｕ２とを備えている。
前記自動原稿搬送装置Ｕ２は、複写しようとする複数の媒体の一例としての原稿Ｇｉが重ねて収容される原稿収容部の一例としての原稿給紙部ＴＧ１と、原稿給紙部ＴＧ１から給紙された原稿Ｇｉを搬送して前記プラテンガラスＰＧ上の原稿読取位置を通過させる搬送ユニットＵ２ａと、前記原稿読取位置を通過した原稿Ｇｉが排出される原稿排出部の一例としての原稿排紙部ＴＧ２とを有している。
【００２３】
前記複写機本体Ｕ１は、操作部の一例としてのユーザインタフェースＵＩと、前記プラテンガラスＰＧが上面に配置された画像読取部の一例としてのスキャナ部Ｕ１ａと、前記スキャナ部Ｕ１ａの下方に配置された画像記録部の一例としてのプリンタ部Ｕ１ｂと、画像処理部ＩＰＳとを有している。
スキャナ部Ｕ１ａは、読取基準位置に配置された基準検出部材の一例としての露光系レジセンサＳｐ、および露光光学系Ａを有している。
【００２４】
前記露光光学系Ａは、その移動および停止が露光系レジセンサＳｐの検出信号により制御され、常時は基準位置に停止している。
前記自動原稿搬送装置Ｕ２を使用して複写を行う場合は、前記露光光学系Ａは基準位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、露光光学系Ａは移動しながらプラテンガラスＰＧ上の原稿を露光走査する。
露光された前記原稿Ｇｉからの反射光は、前記露光光学系Ａを通って固体撮像素子ＣＣＤ上に収束される。固体撮像素子ＣＣＤは、その撮像面上に収束された原稿反射光を電気信号に変換する。
前記スキャナ部Ｕ１ａ、前記自動原稿搬送装置Ｕ２等により、実施例１の画像読取装置（Ｕ１ａ＋Ｕ２）が構成されている。
【００２５】
また、画像処理部ＩＰＳは、スキャナ部Ｕ１ａの固体撮像素子ＣＣＤから入力された読取画像信号を画像書込信号に変換してプリンタ部Ｕ１ｂの潜像形成回路ＤＬに出力する。
前記潜像形成回路ＤＬは、入力された画像情報に応じた駆動信号を潜像形成装置ＲＯＳに出力する。
前記潜像形成装置ＲＯＳの下方に配置された像保持体の一例としての感光体ＰＲは、矢印Ｙａ方向に回転する。前記感光体ＰＲ表面は、帯電領域Ｑ０において帯電器ＣＣにより帯電された後、潜像形成位置Ｑ１において潜像形成装置ＲＯＳの書込光の一例としてのレーザビームＬにより露光走査されて静電潜像が形成される。静電潜像が形成された感光体ＰＲ表面は、回転移動して現像領域Ｑ２において現像装置Ｇにより潜像が可視像に現像される。現像領域Ｑ２で潜像が現像された感光体ＰＲ表面は、転写装置の一例としての転写ロールＲｔに対向する転写領域Ｑ４を通過する。
【００２６】
感光体ＰＲの下方には、媒体収容部の一例としての給紙トレイＴＲ１〜ＴＲ３が配置されている。給紙トレイＴＲ１〜ＴＲ３に収容された媒体の一例としての用紙Ｓ、または両面記録の場合に使用される反転用の媒体収容部の一例として反転トレイＴＲ０に一時的に収容された用紙Ｓは、媒体取出部材の一例としてのピックアップロールＲｐにより取り出される。ピックアップロールＲｐにより取り出された用紙Ｓは、捌き部材の一例としてのさばきロールＲｓで１枚づつ分離されて、媒体搬送部材の一例としての複数の搬送ロールＲａにより、用紙供給路ＳＨ１を搬送されて時期調節部材の一例としてのレジロールＲｒに搬送される。
前記給紙トレイＴＲ１〜ＴＲ３、前記ピックアップロールＲｐ、前記さばきロールＲｓ等とにより、実施例１の媒体供給部（ＴＲ１〜ＴＲ３＋Ｒｐ＋Ｒｓ）が構成されている。
【００２７】
前記レジロールＲｒに搬送された用紙Ｓは、前記感光体ＰＲ上のトナー像が転写領域Ｑ４に移動する時期に合わせて、案内部材の一例としての転写前シートガイドＳＧ１から転写領域Ｑ４に搬送される。
前記媒体供給部（ＴＲ１〜ＴＲ３＋Ｒｐ＋Ｒｓ）、前記用紙供給路ＳＨ１、前記搬送ロールＲａ、前記レジロールＲｒ等により、実施例１の媒体供給装置ＢＫＳが構成されている。
【００２８】
前記感光体ＰＲ表面に現像されたトナー像Ｔｎは、転写領域Ｑ４において、転写ロールＲｔにより用紙Ｓに転写される。転写後、感光体ＰＲ表面は、清掃器の一例としての感光体クリーナＣＬ１により清掃、クリーニングされて残留トナーが除去され、次に感光体除電器ＪＬにより除電されてから前記帯電器ＣＣにより再帯電される。
なお、前記帯電器ＣＣの帯電電圧、現像装置Ｇの現像電圧、転写ロールＲｔの転写電圧は、電源回路Ｅから供給され、電源回路Ｅは、制御部の一例としてのコントローラＣにより制御される。
転写領域Ｑ４において転写ロールＲｔによりトナー像が転写された前記用紙Ｓは、案内部材の一例としてのシートガイドＳＧ２や、媒体搬送部材の一例としてのシート搬送ベルトＢＨにより定着領域Ｑ５に搬送される。定着領域Ｑ５を通過する用紙Ｓは、定着装置Ｆにより加熱定着される。
前記感光体ＰＲ、前記帯電器ＣＣ、前記潜像形成装置ＲＯＳ、前記現像装置Ｇ、前記転写ロールＲｔ、前記定着装置Ｆ等により、実施例１の画像記録装置ＧＫＳが構成されている。
【００２９】
定着装置Ｆの下流側に配置された切替部材の一例としての切替ゲートＧＴ１は、定着装置Ｆを通過した用紙Ｓの搬送方向を用紙排出路ＳＨ２または用紙反転路ＳＨ３のいずれかの方向に切り替える。複数の搬送ロールＲａにより前記用紙排出路ＳＨ２を搬送された用紙Ｓは、媒体排出部材の一例としての排出ローラＲｈから媒体排出部の一例としての排紙トレイＴＲｈに排出される。両面複写の場合、１面目のトナー像が転写された用紙Ｓは、用紙反転路ＳＨ３で反転された後、用紙循環路ＳＨ４を通って反転トレイＴＲ０に一旦収容される。そして、予め設定された時期にピックアップロールＲｐで取り出されて、転写領域Ｑ４に再送され、２面目にトナー像が転写される。
前記用紙排出路ＳＨ２、前記搬送ロールＲａ、前記排出ローラＲｈ、前記排紙トレイＴＲｈ等により、実施例１の媒体排出装置ＢＨＳが構成されている。
なお、前記符号ＳＨ１〜ＳＨ４，Ｒｐ，Ｒｓ，Ｒｒ，Ｒａ，ＧＴ１等で示す構成要素から用紙搬送装置ＳＨが構成されている。
【００３０】
（実施例１の自動原稿搬送装置Ｕ２の説明）
図２は実施例１の自動原稿搬送装置の要部拡大説明図である。
図１、図２において、実施例１の前記自動原稿搬送装置Ｕ２では、前記原稿給紙部ＴＧ１から前記原稿排紙部ＴＧ２までＣ字状の原稿搬送路ＳＨ５が形成されている。
実施例１の前記原稿搬送路ＳＨ５の右上部、すなわち、原稿Ｇｉの搬送方向上流端部には、前記原稿給紙部ＴＧ１に収容された原稿Ｇｉを取り出す原稿取出部材の一例としての原稿用のピックアップロールＲｐ２が配置されている。前記原稿用のピックアップロールＲｐ２の左方には、前記原稿用のピックアップロールＲｐ２により取り出された原稿Ｇｉを１枚づつ分離する原稿捌き部材の一例としての原稿用のさばきロールＲｓ２が配置されている。前記原稿用のさばきロールＲｓ２の搬送方向下流側には、前記原稿用のさばきロールＲｓ２により１枚づつ分離された原稿Ｇｉを搬送する原稿搬送部材の一例としての複数の原稿搬送ロールＲａ２が配置されている。前記原稿搬送路ＳＨ５の右下部、すなわち搬送方向下流端部には、前記原稿搬送ロールＲａ２により前記原稿読取位置を通過した原稿Ｇｉを前記原稿排紙部ＴＧ２に排出する原稿排出部材の一例としての原稿排出ロールＲｈ２とが配置されている。
【００３１】
また、前記原稿搬送路ＳＨ５には、搬送方向下流端部の分岐位置から、前記原稿用のさばきロールＲｓ２と前記原稿搬送ロールＲａ２との間の前記の合流位置まで延びて形成され、両面読取の原稿Ｇｉを反転させる原稿反転路ＳＨ６が形成されている。
なお、前記分岐位置には、分岐案内部材の一例としての分岐フィルムＭＲ１が配置されており、前記合流位置には、合流案内部材の一例としての合流フィルムＭＲ２が配置されている。
よって、前記原稿給紙部ＴＧ１に収容された原稿Ｇｉは、前記原稿用のピックアップロールＲｐ２により取り出され、前記原稿用のさばきロールＲｓ２で１枚づつ分離され、前記合流フィルムＭＲ２の上面を通過した後、前記複数の原稿搬送ロールＲａ２により、前記原稿読取位置に搬送される。また、前記原稿読取位置を通過した原稿Ｇｉは、前記分岐フィルムＭＲ２を押し退けるように弾性変形させながら通過して、前記原稿排出ロールＲｈ２まで搬送される。
【００３２】
ここで、片面読取の原稿Ｇｉであれば、前記原稿排出ロールＲｈ２を正回転させて原稿Ｇｉを前記原稿排紙部ＴＧ２に排出する。また、両面読取の原稿Ｇｉであれば、前記原稿排出ロールＲｈ２を正回転させて原稿Ｇｉの搬送方向後端が分岐フィルムＭＲ１を通過した後、前記原稿排出ロールＲｈ２を逆回転させて分岐フィルムＭＲ１の上面を通過させる。分岐位置を通過した原稿Ｇｉは、前記合流フィルムＭＲ２を押し退けるように弾性変形させながら通過した後、前記複数の原稿搬送ロールＲａ２により、表裏が反転した状態で前記原稿読取位置に再送され、前記分岐フィルムＭＲ２の下面および前記原稿排出ロールＲｈ２を介して、前記原稿排紙部ＴＧ２に排出される。
【００３３】
（実施例１の搬送ユニットＵ２ａの説明）
図３は実施例１の搬送ユニットの拡大斜視説明図であり、図３Ａはカバーユニットがカバー閉塞位置に移動した状態の説明図、図３Ｂは図３Ａの状態からカバーユニットがカバー開放位置に移動した状態の説明図、図３Ｃは図３Ｂの状態からガイド板がガイド開放位置に移動した状態の説明図である。
図４は図３Ｃの状態の搬送ユニットの説明図であり、図４Ａは図３Ｃの矢印ＩＶＡ方向から見た搬送ユニットの要部断面説明図であり、図４Ｂは図３Ｃの矢印ＩＶＢ方向から見た搬送ユニットの要部断面説明図である。
図１〜図４において、実施例１の前記自動原稿搬送装置Ｕ２の左端部には、搬送ユニット本体１が支持されている。
【００３４】
（実施例１の搬送ユニット本体１の説明）
図５は実施例１の搬送ユニット本体の各スタッドとガイド板の各溝部との要部拡大説明図である。
図３〜図５において、実施例１の前記搬送ユニット本体１は、前側支持部の一例としての前側支持プレート２と、後側支持部の一例としての後側支持プレート３と、前記各プレート２，３間の右端部に支持されて原稿Ｇｉを案内する右側案内部の一例としての右側シュート４とを有する。図５において、前記各プレート２，３の左側上部には、凸部の一例であって、被接触部の一例であって、保持部の一例として、内方に突出する前後一対のスタッド２ａ，３ａが形成されている。また、図３、図４において、前記各プレート２，３の右側の上下方向中央部には、内方に突出する前後一対の軸部２ｂ，３ｂが形成されている。
また、図２、図３において、前記右側シュート４は、前記各プレート２，３の上下方向中央部で支持されており、前記右側シュート４の上面には、原稿Ｇｉの下面を案内する右側案内面の一例としての右側ガイド面４ａが形成されている。前記右側ガイド面４ａは、水平方向に延びる平面状に形成されている。
【００３５】
また、前記右側シュート４の左方には、捌き案内部の一例としてのさばきシュート６が配置されている。
実施例１の前記さばきシュート６の上面には、原稿Ｇｉの下面を案内する捌き案内面の一例としてのさばきガイド面６ａが形成されている。図４Ａにおいて、前記さばきガイド面６ａは、右部６ａ１が水平方向に延びる平面状に形成され且つ左右方向中央部６ａ２が搬送方向である左方向に進むに連れて上方に向かうように延びる平面状に形成され且つ左部６ａ３が左方向に進むに連れて下方に向かうように延びる平面状に形成されている。また、前記さばきシュート６の右端には、前記各プレート２，３の軸部２ｂ，３ｂに支持される被支持部６ｂ，６ｂが形成されており、前記さばきシュート６は、前記軸部２ｂ，３ｂを中心として回転可能に支持されている。また、前記さばきシュート６の幅方向である前後方向中央部には、図３Ｂ、図３Ｃに示すさばき用貫通孔６ｃが形成されている。
【００３６】
なお、図２において、前記さばきシュート６の下面には、前記原稿反転路ＳＨ６の上側のガイド面を構成する反転上ガイド面６ｄが形成されている。よって、実施例１では、前記軸部２ｂ，３ｂを中心として前記さばきシュート６を回転させることにより、前記原稿反転路ＳＨ６の上方が開放されて前記原稿反転路ＳＨ６に詰まった原稿Ｇｉ、いわゆる、ジャムを取り除くことが可能となっている。
また、前記さばきシュート６には、前記原稿用のさばきロールＲｓ２の従動部材の一例であり、捌き用の押し当て部材の一例としてのリタードロール７が前記さばき用貫通孔６ｃを通じて上部が露出した状態で収容されている。
【００３７】
また、前記さばき用貫通孔６ｃの上面右部には、原稿Ｇｉの滑りを防止する滑り防止部材の一例としての滑り防止シート８が配置されている。また、前記さばき用貫通孔６ｃと前記滑り防止シート８との間には、原稿案内部材の一例としてのガイドフィルム９が配置されている。実施例１の前記ガイドフィルム９は、基端部が前記滑り防止シート８の左端に支持されており、自由端部が前記リタードロール７の上部に接触している。
また、前記ガイドフィルム９の前方および後方には、原稿Ｇｉを前記原稿給紙部ＴＧ１に設置する際に原稿Ｇｉの搬送方向前端に接触して原稿Ｇｉを停止させる原稿停止部材の一例としてのストッパ１１，１１が配置されている。実施例１の前記ストッパ１１，１１は、原稿Ｇｉの搬送が行われていない場合には、上方に突出した状態で保持されて原稿Ｇｉの搬送方向前端を停止させると共に、原稿Ｇｉの搬送が開始されると、下方に移動可能な状態になって原稿Ｇｉの搬送方向下流側への移動を可能にする。
また、前記さばきシュート６の左端には、前記合流フィルムＭＲ２が支持されている。
【００３８】
また、前記さばきシュート６の左方には、原稿Ｇｉが前記原稿読取位置を通過する際に画像読取面である上面を下方のスキャナ部Ｕ１ａと対向させるように湾曲した形状で原稿Ｇｉを案内する湾曲案内部の一例としての湾曲シュート１２が前後両端を前記各プレート２，３に支持されている。
実施例１の前記湾曲シュート１２の外面には、原稿Ｇｉの下面を案内する湾曲案内面の一例としての湾曲ガイド面１２ａが形成されている。図３Ａにおいて、前記湾曲ガイド面１２ａは、半円筒状の円周面として形成されている。また、前記湾曲シュート１２の上側中央部には、前後方向に間隔を空けて湾曲用貫通孔１２ｂが形成されている。
また、前記湾曲シュート１２には、前記原稿搬送ロールＲａ２の従動部材の一例としての原稿搬送従動ロール１３が前記湾曲用貫通孔１２ｂを通じて上部が露出した状態で収容されている。
【００３９】
また、図２において、前記湾曲シュート１２には、前記さばきシュート６の反転上ガイド面６ｄに対向して形成され、前記原稿反転路ＳＨ６の下側のガイド面を構成する反転下ガイド面１２ｃが形成されている。よって、実施例１では、前記原稿反転路ＳＨ６の上方が開放されると、前記原稿反転路ＳＨ６が開放されて、前記原稿反転路ＳＨ６で詰まった原稿Ｇｉを除去可能になる。
また、前記湾曲シュート１２の右端には、前記分岐フィルムＭＲ１が支持されている。
なお、実施例１の前記搬送ユニット本体１の内部には、前記各プレート２，３および前記各シュート４，６，１２の各面に囲まれた第１の内部空間１４が形成されている。
【００４０】
（実施例１のカバーユニット２１の説明）
また、図３Ａにおいて、前記搬送ユニット本体１の上方および左方には、前記第１の内部空間１４を開閉する第１の開閉部材の一例としてのカバーユニット２１が配置されている。
実施例１の前記カバーユニット２１は、図３Ａに示す状態で、前記搬送ユニット本体１の上面を開閉可能な天板部２１ａと、前記天板部２１ａの左端から下方に延びて前記搬送ユニット本体１の左側面を開閉可能な左側板部２１ｂとを有する略Ｌ字状に形成されている。
【００４１】
実施例１の前記左側板部２１ｂの下端には、第１の回転軸の一例として、各プレート２，３の左側下端部に支持されたカバー軸２１ｃ，２１ｃが形成されており、実施例１のカバーユニット２１は、カバー軸２１ｃ，２１ｃを中心として、図３Ａに示す第１の閉塞位置の一例としてのカバー閉塞位置と、図３Ｂに示す第１の開放位置の一例としてのカバー開放位置との間で回転可能に支持されている。
また、前記天板部２１ａの右端部の内面側には、被係合部の一例として、図３Ａに示すカバー閉塞位置に移動した状態で下方に突出する鉤爪状の爪部２１ｄが形成されている。
図３Ａにおいて、前記天板部２１ａの前部の外面側には、開閉操作部の一例としての開閉ハンドル２２が配置されている。図４Ｂにおいて、前記開閉ハンドル２２には、前記天板部２１ａの内面に回転可能に支持され、前後方向に延びる操作回転軸の一例としてのハンドル軸２３が支持されている。前記ハンドル軸２３の前後両端には、閉塞保持部材の一例としてのラッチ２４，２４がハンドル軸２３と一体的に回転可能に支持されている。
【００４２】
実施例１の前記カバーユニット２１は、前記カバー閉塞位置に移動した状態では、前記第１の内部空間１４の左方および上方を閉塞する。このとき、前記ラッチ２４，２４は、搬送ユニット本体１の図示しない閉塞被保持部の一例としてのラッチ受け部に保持されている。
この状態から、使用者が開閉ハンドル２２を操作すると、前記ハンドル軸２３を介してラッチ２４，２４が回転して、ラッチ受け部とラッチ２４，２４との係合を解除される。そして、カバー軸２１ｃ，２１ｃを中心としてカバーユニット２１を回転させると、前記カバーユニット２１がカバー開放位置に移動し、搬送ユニット本体１の第１の内部空間１４の左方および上方が開放される。
【００４３】
また、図３Ｂ、図３Ｃにおいて、前記天板部２１ａの右部の内面側には、前記原稿用のピックアップロールＲｐ２が回転可能に支持されている。実施例１の前記原稿用のピックアップロールＲｐ２は、前記カバーユニット２１がカバー閉塞位置に移動した場合に、前記搬送ユニット本体１の滑り防止シート８と対向する位置に配置されている。
また、前記原稿用のピックアップロールＲｐ２の左方には、前記原稿用のさばきロールＲｓ２の捌き用の搬送部材の一例としてのフィードロール２６が回転可能に支持されている。実施例１の前記フィードロール２６は、前記カバーユニット２１がカバー閉塞位置に移動した場合に、前記搬送ユニット本体１のリタードロール７と対向する位置に配置されている。
また、前記フィードロール２６の左方には、前記原稿搬送ロールＲａ２の駆動部材の一例としての原稿搬送駆動ロール２７が回転可能に支持されている。実施例１の前記原稿搬送駆動ロール２７は、前記カバーユニット２１がカバー閉塞位置に移動した場合に、前記搬送ユニット本体１の原稿搬送従動ロール１３と対向する位置に配置されている。
【００４４】
（実施例１のガイド板３１の説明）
また、前記ユニット本体１と前記カバーユニット２１との間には、原稿搬送路ＳＨ５を搬送される原稿Ｇｉを案内する案内部材として構成された第２の開閉部材の一例としてのガイド板３１が支持されている。
実施例１の前記ガイド板３１は、前記天板部２１ａの内面において、前記天板部２１ａに対向する板状に形成されており、搬送ユニット本体１側の内面には、前記原稿搬送路ＳＨ５の上側のガイド面を構成する搬送上ガイド面３１ａが形成されている。
また、前記ガイド板３１の基端部である左端には、第２の回転軸の一例として、前記左側板部２１ｂの内面の上部に回転可能に支持されたガイド軸３１ｂ，３１ｂが形成されている。よって、実施例１のガイド板３１は、ガイド軸３１ｂ，３１ｂを中心として、図３Ｂに示す第２の閉塞位置の一例としてのガイド閉塞位置と、図３Ｃに示す第２の開放位置の一例としてのガイド開放位置との間で回転可能に支持されている。
【００４５】
また、図４Ｂにおいて、実施例１の前記ガイド板３１の中央部には、原稿用のピックアップロールＲｐ２およびフィードロール２６が貫通して下部が原稿搬送路ＳＨ５に露出可能な搬送部材露出口３１ｃが形成されている。
また、前記ガイド板３１の左端部には、原稿搬送駆動ロール２７が貫通して下部が原稿搬送路ＳＨ５に露出可能な搬送部材露出凹部３１ｄが形成されている。
また、図３、図４Ｂにおいて、実施例１の前記ガイド板３１は、カバーユニット２１側の外面の右端部に、爪部２１ｄに対応する位置に配置された係合部の一例として、開口により構成された爪受け部３１ｅが形成されている。前記爪受け部３１ｅは、爪部２１ｄが貫通して縁に引っ掛かることによって係合可能に構成されている。実施例１の前記爪部２１ｄと前記爪受け部３１ｅとは、いわゆる、スナップフィット（snap-fit）構造によって構成されている。
【００４６】
したがって、実施例１の前記ガイド板３１は、爪部２１ｄと爪受け部３１ｅとが係合した状態では、カバーユニット２１と一体的に移動すると共に、爪部２１ｄと爪受け部３１ｅとの係合が解除されると、カバーユニット２１に対してガイド軸３１ｂ，３１ｂを中心として回転可能な状態となる。
また、図３〜図５において、前記ガイド板３１の前後両面には、開放用の被保持部の一例として、前記各プレート２，３のスタッド２ａ，３ａが嵌まる溝状に形成された前後一対の右側溝部３１ｆ，３１ｆと、閉塞用の被保持部の一例として、右側溝部３１ｆ，３１ｆに対して左方向に間隔を空けて配置された前後一対の左側溝部３１ｇ，３１ｇとが形成されている。
【００４７】
図６は図３に対応する搬送ユニット本体のスタッドとガイド板の溝部との状態説明図であり、図６Ａは図３Ａの状態におけるスタッドと溝部との状態説明図、図６Ｂは図３Ｂの状態におけるスタッドと溝部との状態説明図、図６Ｃは図３Ｃの状態におけるスタッドと溝部との状態説明図である。
実施例１では、前記カバーユニット２１がカバー閉塞位置に移動する場合、図６Ａに示すように、スタッド２ａ，３ａが左側溝部３１ｇ，３１ｇに嵌まった状態となり、ガイド板３１がスタッド２ａ，３ａ以外と接触せずに搬送ユニット本体１に位置決めされた状態で保持される。このため、カバー閉塞位置に移動したカバーユニット２１の爪部２１ｄと爪受け部３１ｅとが係合してガイド板３１をガイド閉塞位置に移動させることが可能となっている。
【００４８】
この状態から、前記カバーユニット２１がカバー開放位置に移動する場合、爪部２１ｄと爪受け部３１ｅとの係合によってガイド板３１がカバーユニット２１に保持された状態で、左側溝部３１ｇ，３１ｇがスタッド２ａ，３ａから離隔する。このため、図６Ｂに示すように、カバーユニット２１に保持されたガイド板３１がカバーユニット２１と一体的に搬送ユニット本体１から離隔して、第１の内部空間１４が開放される。
さらに、前記カバーユニット２１がカバー開放位置に移動した状態から、爪部２１ｄと爪受け部３１ｅとが係合を解除されると、ガイド板３１をガイド開放位置に移動させることが可能となる。そして、ガイド板３１がガイド開放位置に移動すると、図６Ｃに示すように、右側溝部３１ｆ，３１ｆにスタッド２ａ，３ａが嵌まる。このとき、実施例１の前記カバーユニット２１と前記ガイド板３１との間には、第２の内部空間３２が形成されている。
【００４９】
図７はカバーユニットがカバー開放位置からカバー閉塞位置に移動し且つガイド板がガイド開放位置からカバー閉塞位置に移動する場合の搬送ユニット本体のスタッドとガイド板との状態説明図であり、図７Ａは図３Ｃおよび図６Ｃの状態からスタッドを右側溝部から離間させて第１接触部に接触させた状態の説明図、図７Ｂは図７Ａの状態からカバーユニットを閉じてスタッドを第２接触部に接触させた状態の説明図、図７Ｃは図７Ｂの状態からカバーユニットを閉じてスタッドを第３接触部に接触させた状態の説明図、図７Ｄは図７Ｃの状態からカバーユニットをカバー閉塞位置に移動させてスタッドが左側溝部に嵌った状態の説明図である。
また、実施例１では、前記カバーユニット２１をカバー開放位置からカバー閉塞位置に移動させる場合には、まず、ガイド板３１をガイド開放位置からガイド閉塞位置に向けて傾けて、右側溝部３１ｆ，３１ｆに嵌ったスタッド２ａ，３ａが前記右側溝部３１ｆ，３１ｆから離間された状態にする。そして、この状態からカバーユニット２１が右方に傾けられると、図７Ａに示すように、前記スタッド２ａ，３が右側溝部３１ｆ，３１ｆの左方に連続して配置され且つ左右方向に延びる第１の接触部の一例としての第１接触部３３，３３に接触する。
【００５０】
次に、図７Ａの状態からカバーユニット２１がさらにカバー閉塞位置に向けて傾斜すると、図７Ｂに示すように、搬送上ガイド面３１ａの前後両端部がスタッド２ａ，３ａ上部を右方に滑りながら案内される。このため、スタッド２ａ，３ａが第１接触部３３，３３の左方に連続して配置され且つ上方に凹む逆Ｖ字状に形成された凹部の一例であって、第２の接触部の一例としての第２接触部３４，３４までガイド板３１に対して相対的に移動する。
次に、図７Ｂの状態からカバーユニット２１がさらにカバー閉塞位置に向けて傾斜すると、図７Ｃに示すように、搬送上ガイド面３１ａの前後両端部がスタッド２ａ，３ａ上部を右方に滑りながら案内される。このため、スタッド２ａ，３ａが第２接触部３４，３４と左側溝部３１ｇ，３１ｇとの間に配置され且つ左右方向に延びる第３の接触部の一例としての第３接触部３６，３６までガイド板３１に対して相対的に移動する。
そして、図７Ｃの状態からカバーユニット２１がさらに傾斜して閉じられると、図７Ｄに示すように、スタッド２ａ，３ａが左側溝部３１ｇ，３１ｇに嵌まった状態となり、ガイド板３１が搬送ユニット本体１に位置決めされた状態で保持される。このため、カバーユニット２１がカバー閉塞位置に移動可能となると共に、ガイド板３１がガイド閉塞位置に移動可能となる。
【００５１】
（実施例１の作用）
前記構成を備えた実施例１の複写機Ｕでは、図３Ｂ、図６Ｂに示すように、使用者の開閉ハンドル２２の操作により、前記カバーユニット２１がカバー開放位置に移動され、第１の内部空間１４が開放可能となっている。
このため、原稿搬送路ＳＨ５や原稿反転路ＳＨ６に原稿Ｇｉが詰まった場合、いわゆる、ジャムが発生した場合に、第１の内部空間１４を開放することによってジャムを解消することが可能となる。
また、搬送ユニット本体１に支持された各部材７〜９，１３，ＭＲ１，ＭＲ２の経時劣化の点検や、経時劣化による各部材７〜９，１３，ＭＲ１，ＭＲ２の交換等をする場合、いわゆる、メンテナンスをする場合にも、カバーユニット２１をカバー開放位置に移動させて第１の内部空間１４が開放される。
【００５２】
図８は実施例１の作用説明図であり、図６Ｃの状態でカバーユニットを閉じようする力が発生した際の搬送ユニット内の力関係を示す説明図である。
また、カバーユニット２１に支持された各ロールＲｐ２，２６，２７のメンテナンスをする場合には、図３Ｃ、図６Ｃに示すように、ガイド板３１をガイド開放位置に移動させて第２の内部空間３２が開放される。
ここで、ガイド板３１をガイド開放位置に移動させると、ガイド板３１の右側溝部３１ｆ，３１ｆに搬送ユニット本体１のスタッド２ａ，３ａが嵌まった状態となり、ガイド板３１が搬送ユニット本体１に位置決め固定される。
よって、図８に示すように、カバーユニット２１をカバー閉塞位置に傾斜させる右方向への力が作用しても、カバーユニット２１に支持されたガイド板３１が搬送ユニット本体１に位置決め固定されており、カバーユニット２１の傾斜が規制される。
したがって、実施例１の前記複写機Ｕでは、ガイド板３１を開放して作業をしている際に、前記カバーユニット２１が誤って閉じて使用者が手を挟まれる等の事故が防止される。
【００５３】
また、前記構成を備えた実施例１の複写機Ｕでは、図８の状態からカバーユニット２１をカバー開放位置からカバー閉塞位置に移動させる場合、図７Ａ〜図７Ｃに示すように、スタッド２ａ，３ａが、第１接触部３３，３３、第２接触部３４，３４、第３接触部３６，３６の順に、ガイド板３１に対して接触しながら左方に相対移動する。
よって、実施例１の複写機Ｕでは、スタッド２ａ，３ａとの摩擦接触がガイド板３１の移動の抵抗となり、ガイド板３１の移動速度が低下する。したがって、ガイド板３１がスタッド２ａ，３ａと接触せずにカバーユニット２１を閉じる従来の構成に比べ、実施例１のガイド板３１およびガイド板３１を支持するカバーユニット２１の回転速度、すなわち、閉じる際の傾斜移動の速度が低減され、カバーユニット２１が勢い良く閉じることが防止される。
【００５４】
図９は実施例１の作用説明図であり、ガイド板が搬送ユニット本体と接触せずにガイド開放位置に移動する従来の構成の説明図であり、図９Ａはカバーユニットをカバー開放位置に移動させた状態の説明図、図９Ｂは図９Ａの状態からガイド板をガイド開放位置に移動させた状態の説明図、図９Ｃは図９Ｂの状態からカバーユニットをカバー閉塞位置に移動させるために右方に傾斜させた状態の説明図である。
ここで、スタッド２ａ，３ａや各溝部３１ｆ，３１ｇを有しない従来の搬送ユニットでは、図９Ａに示すように、搬送ユニット本体０１に対して、カバーユニット０２がカバー回転軸０２ａを中心としてカバー閉塞位置からカバー開放位置に移動した状態から、図９Ｂに示すように、ガイド板０３がガイド回転軸０３ａを中心としてガイド閉塞位置からガイド開放位置に移動すると、カバーユニット０２とガイド板０３との間の空間が開放される。この状態から、ガイド板０３をガイド閉塞位置に戻さずに、カバーユニット０２がカバー閉塞位置に向けて移動すると、図９Ｃに示すように、ガイド板０３の自由端０３ｂが下方に移動して搬送ユニット本体０１に突き当たり、搬送ユニット本体０１内の各部材が損傷する可能性があった。
【００５５】
これに対して、実施例１の搬送ユニットＵ２ａは、ガイド板３１が開放された状態でカバーユニット２１を閉じる場合、図７に示すように、ガイド板３１の各接触部３３〜３６がスタッド２ａ，３ａに接触しながらガイド開放位置からガイド閉塞位置まで案内される。この結果、ガイド板３１の自由端部が搬送ユニット本体１の各シュート６，１２や各ローラ７，１３等に突き当たらないように案内され、爪受け部３１ｅが上方の爪部２１ｄに接近して係合し、ガイド板３１がカバーユニット２１に支持されることが可能となっている。
この結果、実施例１の複写機Ｕでは、ガイド板３１の自由端部が、下方の搬送ユニット本体１に支持された各部材６〜１３，ＭＲ１，ＭＲ２と非接触の状態のまま移動し、各部材６〜１３，ＭＲ１，ＭＲ２の損傷が回避される。
【００５６】
また、前記構成を備えた実施例１の複写機Ｕでは、図７Ａ〜図７Ｃに示すように、左右方向に延びる第１接触部３３，３３と第３接触部３６，３６との間に、逆Ｖ字の凹形状の第２接触部３４，３４が形成されている。よって、ガイド板３１が右方に移動して、スタッド２ａ，３ａが第２接触部３４，３４に差し掛かると、第２接触部３４，３４の凹みに軽く嵌った状態となる。したがって、第２接触部３４，３４から第３接触部３６，３６に移動する際の抵抗となってガイド板３１およびカバーユニット２１が移動する勢いが低減される。
この結果、実施例１の複写機Ｕは、第２接触部３４，３４を有しない場合に比べ、ガイド板３１を支持するカバーユニット２１の回転速度、すなわち、閉じる際の傾斜移動の速度がカバー閉塞位置に向けて移動する途中で一旦低減され、カバーユニット２１が勢い良く閉じることが低減される。
【実施例２】
【００５７】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００５８】
図１０は実施例１の図７に対応する説明図であり、カバーユニットがカバー開放位置からカバー閉塞位置に移動し且つガイド板がガイド開放位置からカバー閉塞位置に移動する場合の搬送ユニット本体とガイド板との状態説明図であり、図１０Ａは接触部が第１被接触部に接触した状態の説明図、図１０Ｂは図１０Ａの状態からカバーユニットを閉じて接触部が第２被接触部に接触した状態の説明図、図１０Ｃは図１０Ｂの状態からカバーユニットを閉じて接触部が第３被接触部に接触した状態の説明図、図１０Ｄは図１０Ｃの状態からカバーユニットをカバー閉塞位置に移動させて爪部が爪受け部と係合した状態の説明図である。
図１０において、実施例２の複写機Ｕは、実施例１の前記スタッド２ａ，３ａと前記各溝部３１ｆ，３１ｇが省略されている。
【００５９】
また、実施例２の搬送上ガイド面３１ａには、実施例１の前記第１接触部３３，３３と対応する位置に、凸部の一例であって、接触部の一例として、半球面状の突起部３３′，３３′が形成されている。すなわち、実施例２の前記突起部３３′，３３′は、原稿Ｇｉの幅方向の通過領域を避けて、搬送上ガイド面３１ａの前後方向外側に形成されている。
実施例２では、カバーユニット２１がカバー開放位置に移動した状態でガイド板３１をガイド開放位置に移動させると、図１０Ａに示すように、前記突起部３３′，３３′が湾曲シュート１２の右側上部の上面に形成された第１の被接触部の一例としての第１被接触部４１，４１に接触する。
【００６０】
また、ガイド板３１が開放された状態においてカバーユニット２１をカバー開放位置からカバー閉塞位置に移動させる場合に、図１０Ａに示すカバー開放位置の状態からカバーユニット２１がカバー閉塞位置に向けて傾斜すると、図１０Ｂに示すように、前記突起部３３′，３３′が湾曲シュート１２の第１被接触部４１，４１の上面を右方に滑りながら案内される。このため、前記突起部３３′，３３′が、湾曲シュート１２の第１被接触部４１，４１から、第１被接触部４１，４１の右方に隣接する合流フィルムＭＲ２の上面に形成された第２の被接触部の一例としての第２被接触部４２，４２に移動する。
次に、図１０Ｂの状態からカバーユニット２１がさらにカバー閉塞位置に向けて傾斜すると、図１０Ｃに示すように、前記突起部３３′，３３′が、合流フィルムＭＲ２の第２被接触部４２，４２の上面を右方に滑りながら案内される。このため、前記突起部３３′，３３′が、合流フィルムＭＲ２の第２被接触部４２，４２から、第２被接触部４２，４２の右方に隣接するさばきシュート６の左側上部に形成された第３の被接触部の一例としての第３被接触部４３，４３に移動する。
【００６１】
そして、図１０Ｃの状態からカバーユニット２１がさらに傾斜して閉じられると、図１０Ｄに示すように、カバーユニット２１がカバー閉塞位置に移動可能となる。ここで、実施例２の各被接触部４１〜４３は、右方に進むに連れて高くなるように傾斜しており、第３被接触部４３，４３が最も高い位置に配置されている。したがって、突起部３３′，３３′が第３被接触部４３，４３に接触した状態では、ガイド板３１がカバー閉塞位置に移動したカバーユニット２１に対向し、爪部２１ｄと爪受け部３１ｅとが係合可能となり、ガイド板３１がガイド閉塞位置に移動するように構成されている。
各被接触部４１〜４３により、実施例２の傾斜面（４１＋４２＋４３）が構成されている。
【００６２】
（実施例２の作用）
前記構成を備えた実施例２の複写機Ｕでは、図１０Ａに示すガイド板３１が開放された状態からカバーユニット２１をカバー開放位置からカバー閉塞位置に移動させる場合、図１０Ａ〜図１０Ｃに示すように、ガイド板３１の突起部３３′，３３′が、第１被接触部４１，４１、第２被接触部４２，４２、第３被接触部４３，４３の順に接触しながら右方に移動する。
よって、実施例２の複写機Ｕでは、各被接触部４１〜４３との摩擦接触がガイド板３１の移動の抵抗となり、ガイド板３１の移動速度が低下する。したがって、ガイド板３１が搬送ユニット本体１と接触せずにカバーユニット２１を閉じる従来の構成に比べ、実施例２のガイド板３１およびガイド板３１を支持するカバーユニット２１の回転速度、すなわち、閉じる際の傾斜移動の速度が低減され、カバーユニット２１が勢い良く閉じることが防止される。
【００６３】
特に、実施例２では、各被接触部４１〜４３が突起部３３′，３３′の進行方向である右方に進むに連れて高くなるように傾斜しており、突起部３３′，３３′が重力の抵抗を受ける上方向に移動する。したがって、突起部３３′，３３′の進行方向が高くならない場合に比べ、ガイド板３１の移動速度やカバーユニット２１の回転速度がさらに低減され易くなっている。
また、実施例２の複写機Ｕでは、ガイド板３１が右方に進むに連れて高くなる各被接触部４１〜４３に案内されており、搬送ユニット本体１の各シュート６，１２や各ローラ７，１３等に突き当たらないように案内され、ガイド板３１の自由端部による各部材６〜１３，ＭＲ１，ＭＲ２の損傷が回避される。
【００６４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ012）を下記に例示する。
（Ｈ01）前記実施例において、画像形成装置Ｕとしての複合機を例示したが、これに限定されず、プリンタやＦＡＸや複写機とすることも可能である。また、モノクロの画像形成装置に限定されず、カラーの画像形成装置にも適用可能である。さらに、本発明は電子写真方式の画像形成装置以外のインクジェット記録式の画像形成装置や熱転写式の画像形成装置等にも適用することも可能である。
【００６５】
（Ｈ02）前記実施例では、画像読取装置（Ｕ１ａ＋Ｕ２）の自動原稿搬送装置Ｕ２に本発明の搬送ユニットＵ２ａを適用したが、これに限定されず、例えば、媒体供給装置ＢＫＳの用紙供給路ＳＨ１や媒体排出装置ＢＨＳの用紙排出路ＳＨ２にも本発明の搬送ユニットＵ２ａを適用可能である。また、例えば、用紙反転路ＳＨ３にも本発明の搬送ユニットＵ２ａを適用可能である。
（Ｈ03）前記実施例では、搬送ユニット本体１の上方から左方にかけて形成された第１の内部空間１４を、誤って重力方向下方に落下する可能性があるカバーユニット２１によって閉塞可能な構成としたが、これに限定されず、例えば、搬送ユニット本体１の下方に形成された内部空間を、引張バネの引張方向としての上方向に引っ張られるカバーユニット２１によって閉塞可能な構成とした搬送ユニットＵ２ａについて、本発明を適用することも可能である。
【００６６】
（Ｈ04）前記実施例２では、原稿Ｇｉの幅方向の通過領域を避けて、図１０に示す半球面状の突起部３３′，３３′が形成されているが、これに限定されず、例えば、原稿Ｇｉの幅方向の通過領域内に突起部３３′，３３′と同様の突起部を設けることも可能である。すなわち、各シュート１２，６のガイド面を各被接触部４１〜４３と兼用することも可能である。このとき、ガイド板３１がガイド閉塞位置に移動した場合のガイド板３１の非通紙部に対応する位置に、ガイド板３１をカバーユニット２１側に押す板バネ等の付勢部材を配置しておき、ガイド板３１がガイド閉塞位置に移動すると、ガイド板３１が付勢部材で押されて突起部３３′，３３′を各被接触部４１〜４３から離間させることにより、原稿Ｇｉの搬送の妨げとならないようにすることが望ましい。また、突起部３３′，３３′を非通紙領域の両方に設け、ガイド板３１がガイド開放位置からガイド閉塞位置に移動を開始した直後は両方の突起部３３′，３３′が接触して摩擦抵抗を大きくすると共に、ガイド閉塞位置に近付くと通紙領域の突起部がガイド面から離間して非通紙領域の突起部３３′，３３′のみでガイドするように、各被接触部４１〜４３の形状を形成することも可能である。
【００６７】
（Ｈ05）前記実施例２では、原稿Ｇｉの幅方向の通過領域を避けて、図１０に示す半球面状の突起部３３′，３３′が形成されているが、これを省略することも可能である。この場合、例えば、搬送ユニット本体１の各被接触部に接触する接触部を、原稿Ｇｉの通過領域を含む幅方向に延びる平面全体で形成することも可能である。また、例えば、ガイド板３１の搬送上ガイド面３１ａ幅方向に間隔を空けた櫛歯状に形成し、櫛歯状の接触部が、原稿Ｇｉの通過領域を含む幅方向において部分的に接触する構成とすることも可能である。なお、この場合、前記変更例（Ｈ04）と同様に、原稿Ｇｉの搬送の妨げとならないように、ガイド板３１がガイド閉塞位置に移動した際に、櫛歯状の接触部を搬送ユニット本体１の被接触部から離間させる構成を採用することが望ましい。
【００６８】
（Ｈ06）前記実施例１では、図７に示す被接触部としてのスタッド２ａ，３ａが、第１接触部３３，３３、第２接触部３４，３４、第３接触部３６、３６の順に接触するように構成され、前記実施例２では、接触部としての突起部３３′，３３′が、第１被接触部４１，４１、第２接触部４２，４２、第３接触部４３、４３の順に接触するように構成されているが、これに限定されず、例えば、ガイド板３１の第１接触部が搬送ユニット本体１の第１被接触部に接触し、第２接触部が第２被接触部に接触し、第３接触部が第３被接触部に接触するように、接触部および被接触部が順次変化する構成とすることも可能である。
（Ｈ07）前記実施例２では、各被接触部４１〜４３が各部材１２，ＭＲ２，６の上面にそれぞれ形成されているが、これに限定されず、各被接触部４１〜４３を同じ部材に一体形成することも可能である。
【００６９】
（Ｈ08）前記実施例では、接触部と被接触部とが連続的に接触するように構成されているが、これに限定されず、例えば、接触部または被接触部の一方を段差状に形成し、他方が段差を乗り越えたり、段階的に滑落したりするように構成することも可能である。この場合、ガイド板３１が開放された状態でカバーユニット２１が閉じようとしても、段差に引っ掛かりながらガイド板が閉じようとするため、ガイド板３１の移動速度やカバーユニット２１の回転速度が低減される。
（Ｈ09）前記実施例２のように、各被接触部４１〜４３が突起部３３′，３３′の進行方向である右方に進むに連れて高くなるように傾斜して形成されることが望ましいが、これに限定されず、例えば、波型としたり、各被接触部４１〜４３が傾斜せずに左右方向に延びるように形成したりすることも可能である。
【００７０】
図１１は実施例１の変更例の説明図であり、ガイド板がガイド開放位置からカバー閉塞位置に移動する場合の搬送ユニット本体のスタッドとガイド板との状態説明図である。
（Ｈ010）前記実施例１のガイド板３１のように、左右方向に延びる第１接触部３３，３３と第３接触部３６，３６との間に、逆Ｖ字の凹形状の第２接触部３４，３４が形成されていることが好ましいが、これに限定されず、凹形状を省略して、第１接触部３３，３３および第３接触部３６，３６との間で左右方向に延びる第２接触部３４，３４を連続的に形成することも可能である。この場合、前記実施例２と同様に、各被接触部３３〜３６をスタッド２ａ，３ａの相対移動方向である左方に進むに連れて高くなるように傾斜面として形成することも可能である。具体的には、ガイド板３１が図１１の点線で示すガイド開放位置から図１１の実線で示す第２の閉塞位置に移動する場合に、スタッド２ａ，３ａの各被接触部３３〜３６に接触しながら相対移動する際の相対移動方向が左斜め上方となるようにスタッド２ａ，３ａを配置することにより、各被接触部３３〜３６を傾斜面として形成することが可能である。この場合、実施例２と同様に、重力の抵抗を受ける上方向にスタッド２ａ，３ａが相対移動するため、スタッド２ａ，３ａの進行方向が高くならない場合に比べ、ガイド板３１の移動速度やカバーユニット２１の回転速度がさらに低減され易くなっている。
【００７１】
（Ｈ011）前記実施例では、カバーユニット２１に爪部２１ｄが形成され且つガイド板３１に爪受け部３１ｅが形成されているが、これに限定されず、カバーユニット２１に爪受け部を形成し且つガイド板３１に爪部を形成することも可能である。
（Ｈ012）前記実施例１では、搬送ユニット本体１にスタッド２ａ，３ａが形成され且つガイド板３１に各溝部３１ｆ，３１ｇおよび各接触部３３〜３６が形成されているが、これに限定されず、搬送ユニット本体１に各溝部および各接触部を形成し且つガイド板３１にスタッドを形成することも可能である。また、前記実施例２では、搬送ユニット本体１に各被接触部４１〜４３が形成され且つガイド板３１に突起部３３′，３３′が形成されているが、これに限定されず、搬送ユニット本体１に被接触部の一例としての突起部を形成し且つガイド板３１に突起部が接触しながら案内される接触部を形成することも可能である。
【符号の説明】
【００７２】
１…搬送ユニット本体、２ａ，３ａ…被接触部、凸部、２１…第１の開閉部材、２１ｃ…第１の回転軸、２１ｄ…被係合部、保持部、３１…第２の開閉部材、案内部材、３１ｂ…第２の回転軸、３１ｅ…係合部、３１ｆ，３１ｆ…開放用の被保持部、３３′…接触部、凸部、３４，３４…凹部、（４１＋４２＋４３）…傾斜面、ＢＨＳ…媒体排出装置、ＢＫＳ…媒体供給装置、Ｇｉ…原稿、ＧＫＳ…画像記録装置、Ｓ…媒体、ＳＨ５，ＳＨ６…搬送路、ＴＧ１…原稿収容部、（ＴＲ１〜ＴＲ３＋Ｒｐ＋Ｒｓ）…媒体供給部、ＴＲｈ…媒体排出部、Ｕ…画像形成装置、（Ｕ１ａ＋Ｕ２）…画像読取装置、Ｕ１ａ…画像読取部、Ｕ２ａ…搬送ユニット。
【図１】
2012006756.tif 000003
【図２】
2012006756.tif 000004
【図３】
2012006756.tif 000005
【図４】
2012006756.tif 000006
【図５】
2012006756.tif 000007
【図６】
2012006756.tif 000008
【図７】
2012006756.tif 000009
【図８】
2012006756.tif 000010
【図９】
2012006756.tif 000011
【図１０】
2012006756.tif 000012
【図１１】
2012006756.tif 000013